(57)【要約】【課題】身体を傷つけるおそれがなく運動中でも安全に身につけられ、そのうえ、磁化の強さをより高くすることできる磁気治療具を提供することを目的とする。【解決手段】軟質の樹脂からなる長尺体と、前記長尺体の両端を互いに接続／分離するために当該長尺体の一端に固着された軟質の樹脂製の雄部と、当該長尺体の他端に固着された軟質の樹脂製の雌部とからなる接続部材とからなり、前記長尺体の長手方向に溝が設けられ、該溝内に、磁性粉を主体とする層と、該磁性粉を主体とする層の上に硬化されたシリコーン層とが形成されてなることを特徴としている。【選択図】図６
2007151769.tif 000002
【特許請求の範囲】
【請求項１】
軟質の樹脂からなる長尺体と、
前記長尺体の両端を互いに接続／分離するために当該長尺体の一端に固着された軟質の樹脂製の雄部と、当該長尺体の他端に固着された軟質の樹脂製の雌部とからなる接続部材と
からなり、
前記長尺体の長手方向に溝が設けられ、
該溝内に、磁性粉を主体とする層と、該磁性粉を主体とする層の上に硬化されたシリコーン層とが形成されてなる
ことを特徴とする磁気治療具。
【請求項２】
前記溝が長尺体に間欠的に複数個設けられてなる請求項１記載の磁気治療具。
【請求項３】
前記溝の幅に対する深さの比率が１：１．５〜１：３．５である請求項１または２記載の磁気治療具。
【請求項４】
（ａ）雄型と雌型とからなる金型の雌型に熱硬化型樹脂材料を注入する工程、
（ｂ）前記雌型に雄型を嵌合し、金型を閉じ、加圧・加熱して成形する工程、
（ｃ）前記雄型を離脱し、金型を開き、前記雌型内に熱硬化型樹脂材料の成形体を留めた状態で、成形体に形成された溝に磁性粉体とシリコーン油の混合物を注入する工程、および
（ｄ）前記工程（ｃ）に引き続き、所定の時間加熱する工程
を含んでなる磁気治療具の製法。
【請求項５】
前記磁性粉体とシリコーン油の配合比率が７：３〜９：１である請求項４記載の製法。
【発明の詳細な説明】
【技術分野】
【０００１】
本発明は磁気治療具に関する。さらに詳しくは、軟質の樹脂からなる長尺体と、前記長尺体の両端を互いに接続／分離するために当該長尺体の一端に固着された軟質の樹脂製の雄部と、当該長尺体の他端に固着された軟質の樹脂製の雌部とからなる接続部材とからなり、前記長尺体の長手方向に溝が設けられ、該溝内に、磁性粉を主体とする層と、該磁性粉を主体とする層の上に硬化されたシリコーン層とが形成されてなる磁気治療具の改良に関する。
【背景技術】
【０００２】
磁気治療具として、磁力による健康増進などを目的とした磁気ネックレスや磁気ブレスレットなどが従来使用されている。従来の磁気治療具には金属製磁石（たとえば、特許文献１参照）または磁石をカプセルに入れたもの（たとえば、特許文献２参照）を鎖または金属環でつないだり、着磁体を編み紐に編みこんだものがある。また、ゴム磁石などを素材とした磁気治療具も提案されている（たとえば、特許文献３参照）。
【０００３】
【特許文献１】特開平０９−０８４６１２号公報
【特許文献２】特開平０９−２２０２８９号公報
【特許文献３】特開２００１−３１４２１３号公報
【発明の開示】
【発明が解決しようとする課題】
【０００４】
しかし、金属を露出して使用する磁気治療具は、運動中には身体を傷つけるおそれがあるために使用できない。
【０００５】
本発明は、身体を傷つけるおそれがなく運動中でも安全に身につけられる磁気治療具を提供することを目的とする。
【課題を解決するための手段】
【０００６】
本発明の磁気治療具は、軟質の樹脂からなる長尺体と、
前記長尺体の両端を互いに接続／分離するために当該長尺体の一端に固着された軟質の樹脂製の雄部と、当該長尺体の他端に固着された軟質の樹脂製の雌部とからなる接続部材と
からなり、
前記長尺体の長手方向に溝が設けられ、
該溝内に、磁性粉を主体とする層と、該磁性粉を主体とする層の上に硬化されたシリコーン層とが形成されてなる
ことを特徴としている。
【０００７】
また、前記溝が長尺体に間欠的に複数個設けられてもよい。
【０００８】
また、前記溝の幅に対する深さの比率が１：１．５〜１：３．５であることが好ましい。
【０００９】
本発明の磁気治療具の製法は、
（ａ）雄型と雌型とからなる金型の雌型に熱硬化型樹脂材料を注入する工程
（ｂ）前記雌型に雄型を嵌合し、金型を閉じ、加圧・加熱して成形する工程、
（ｃ）前記雄型を離脱し、金型を開き、前記雌型内に熱硬化型樹脂材料の成形体を留めた状態で、成形体に形成された溝に磁性粉体とシリコーン油の混合物を注入する工程、および
（ｄ）前記工程（ｃ）に引き続き、所定の時間加熱する工程
を含んでなることを特徴としている。
【００１０】
また、前記磁性粉体とシリコーン油の配合比率が７：３〜９：１であることが好ましい。
【発明の効果】
【００１１】
本発明の磁気治療具によれば、軟質の樹脂からなる長尺体と、前記長尺体の両端を互いに接続／分離するために当該長尺体の一端に固着された軟質の樹脂製の雄部と、当該長尺体の他端に固着された軟質の樹脂製の雌部とからなる接続部材とからなり、前記長尺体の長手方向に溝が設けられ、該溝内に、磁性粉を主体とする層と、該磁性粉を主体とする層の上に硬化されたシリコーン層とが形成されてなる構成を有しており、磁性粉の配合量を多くすることができるので、身体を傷つけるおそれがなく運動中でも安全に身につけられ、そのうえ、磁化の強さをより高くすることできる。
【発明を実施するための最良の形態】
【００１２】
添付図面を参照しながら、本発明の磁気治療具を以下に詳細に説明する。
【００１３】
図１〜５は本発明の磁気治療具の製造工程を示す説明図、図６は本発明の磁気治療具の部分斜視図、図７は本発明の磁気治療具の平面説明図、図８は図７の要部拡大図である。
【００１４】
実施の形態１
図１〜５を参照しながら本実施の形態の磁気治療具の製法を説明する。
【００１５】
まず、工程（ａ）において、雌型４のキャビティーＣに、注入装置あるいは人手によって熱硬化型樹脂材料を注入する。熱硬化型樹脂材料としては、熱硬化型シリコーンが好適に採用される。ついで、工程（ｂ）において、前記雌型４に雄型５を嵌合し、しかるのち金型（４、５）を閉じ、所定の圧力および温度約１８０℃で約１０分間加圧・加熱して成形する。工程（ｂ）において、雄型５の突起Ｐにより、溝Ｇが設けられた長尺の成形体（Ｕ字状断面の成形体）２ａが得られると、工程（ｃ）において、雄型５だけを離脱して、金型（４、５）を開き、雌型４内には、熱硬化型樹脂材料の成形体２ａを留めておき、Ｕ字状断面の長尺の成形体２ａに形成された溝Ｇに磁性粉体とシリコーン油の混合物を注入する。このとき、溝Ｇ内で、適切な時間放置すると、比重の大きい磁性粉が下方に沈降し、図５に示されるように、磁性粉を主体とする層３ａと該磁性粉を主体とする層３ａ上のシリコーン油層３ｂとが形成される。この工程（ｃ）においても、雌型４から離型せず雌型４に成形体２ａと、磁性粉を主体とする層３ａと該磁性粉を主体とする層３ａ上のシリコーン油層３ｂとを留めておく。そして、工程（ｄ）において、電気炉に装填して、温度約１２０℃で１０分間加熱する。そうすると、図５のシリコーン油層３ｂが硬化されてシリコーン層３ｃが得られる。すなわち、図６に示されるような、長尺体２ａの長手方向に設けられた溝Ｇ（図４参照）内に、磁性粉を主体とする層３ａと、該磁性粉を主体とする層３ａの上に硬化されたシリコーン層３ｃとが形成される。
【００１６】
ついで、図６を参照すると、本実施の形態においては、磁性粉を主体とする層３ａの開口部にはリブ２ｂが設けられている。これは、前述のとおり、工程（ｃ）において、金型（４、５）を開き、Ｕ字状断面の長尺の成形体２ａに形成された溝Ｇに磁性粉体とシリコーン油の混合物を注入し、硬化後のシリコーン層３ｃ上面と側面を均一にするためである。
【００１７】
図７は、本実施の形態の磁気治療具１が、環状に接続された形態を示している。
【００１８】
なお、本実施の形態では、雌部７ｆをシリコーン樹脂、雄部７ｍの軸１０をポリアセタールとしたが、これらに限定されるものではなく、雌部７ｆを軟質エラストマーとし、雄部７ｍの軸１０を、たとえばポリアミドやポリカーボネートなどの硬質エラストマーとすることもできる。
【００１９】
雄部７ｍは、該雄部８の端面から突出した、硬質エラストマー（たとえばポリアセタール）で形成される軸１０の先端に、該軸１０の断面の直径より大きい直径を有する略半球状の係合部１１が形成されており、係合部１１が雌部７ｆの凹所９に嵌入される。
【００２０】
図７を参照すると、磁性粉を主体とする層３ａ上のシリコーン油層３ｂが長尺の成形体長尺体２ａに間欠的に複数個設けられている（すなわち、磁性粉を主体とする層３ａと、シリコーン油層３ｂが充填される溝Ｇ（図４参照）が複数個設けられている）。これは、溝Ｇ内に磁性粉体とシリコーン油の混合物を注入する量を均一にするためであり、コストを度外視すれば、長尺の成形体２ａの全長に亘って溝Ｇを形成し、磁性粉体とシリコーン油の混合物を注入することも可能である。なお、磁性粉体とシリコーン油の配合比率は７：３〜９：１であることが好ましい。なぜなら、磁化の強さを強くすることができるからである。
【００２１】
また、溝Ｇの幅に対する深さの比率は、１：１．５〜１：３．５とすることが好ましい。なぜなら、溝Ｇの深さを深くすることによって磁性粉の注入量を増加することができ、これによって、磁化の強さを強くすることができるからである。
【図面の簡単な説明】
【００２２】
【図１】本発明の磁気治療具の工程（ａ）において加熱硬化型樹脂材料を注入する状態を示す説明図である。
【図２】本発明の磁気治療具の工程（ｂ）において雄型を閉じる状態を示す説明図である。
【図３】本発明の磁気治療具の工程（ｂ）において金型が閉じられた状態を示す説明図である。
【図４】本発明の磁気治療具の工程（ｃ）において雄型を離脱し、磁性粉とシリコーン油とが混ぜられた混合物を成形体の溝に注入した状態を示す説明図である。
【図５】本発明の磁気治療具の工程（ｄ）において雌型４から離型せず雌型４に成形体２ａと、磁性粉を主体とする層３ａと該磁性粉を主体とする層３ａ上のシリコーン油層３ｂとを温度約１２０℃で１０分間加熱している状態を示す説明図である。
【図６】本発明の実施の形態にかかわる磁気治療具の一例を示す部分斜視図である。
【図７】本発明の磁気治療具の平面説明図である。
【図８】図７の要部拡大図である。
【符号の説明】
【００２３】
１    磁気治療具
２    加熱硬化型樹脂材料
２ａ  長尺体
３    磁性粉とシリコーン油とが混ぜられた混合物
３ａ  磁性粉体
３ｂ  シリコーン樹脂
３ｃ  硬化したシリコーン樹脂
４    雌型
５    雄型
６ａ  加熱硬化型樹脂材料を注入する注入器
６ｂ  磁性粉体とシリコーン油の混合物を注入する注入器
７ｆ  雌部
７ｍ  雄部
９    凹所
１０  軸
１１  係合部
Ｐ  突出部
Ｃ  キャビティー
Ｇ  溝
【図１】
2007151769.tif 000003
【図２】
2007151769.tif 000004
【図３】
2007151769.tif 000005
【図４】
2007151769.tif 000006
【図５】
2007151769.tif 000007
【図６】
2007151769.tif 000008
【図７】
2007151769.tif 000009
【図８】
2007151769.tif 000010